(57)【特許請求の範囲】
【請求項１】
管理データを第１のファイルに記録し、通常の放送を前記第１のファイルとは異なる第２のファイルに記録し、データ放送を前記第２のファイルまたは前記第１及び前記第２のファイルとは異なる第３のファイルに記録し、前記管理データ内のデータ放送記録ファイル識別フラグにより前記データ放送を前記第２のファイルに記録したか前記第３のファイルに記録したか示すことを特徴とするデータ放送記録方法。
【請求項２】
前記通常の放送と前記データ放送を第２のファイルに記録し、前記データ放送のうち全部または一部、または、前記第２のファイルに記録された記録データ放送のうち全部または一部をコピーまたは切り取ったものを放送抽出データとして第３のファイルに記録し、前記管理データ内のデータ放送識別フラグにより前記放送抽出データの内容を示すことを特徴とする、請求項１記載のデータ放送記録方法。
【請求項３】
前記通常の放送と前記データ放送を第２のファイルに記録し、前記データ放送のうち全部または一部、または、前記第２のファイルに記録された記録データ放送のうち全部または一部をコピーまたは切り取ったものを放送抽出データとして、データの種別と符号化フォーマットとの組み合わせに応じて第３以降のファイルに記録し、前記管理データ内のデータ放送識別フラグにより前記放送抽出データの内容を示すことを特徴とする、請求項１記載のデータ放送記録方法。
【請求項４】
前記通常の放送を第２のファイルに記録し、前記データ放送を前記第２のファイルまたは第３のファイルに記録し、前記データ放送のうち全部または一部、または、前記第２または前記第３のファイルに記録された記録データ放送のうち全部または一部をコピーまたは切り取ったものを放送抽出データとして前記第３または第４のファイルに記録し、前記管理データ内のデータ放送記録ファイル識別フラグにより前記データ放送を前記第２のファイルに記録したか前記第３のファイルに記録したか示し、前記管理データ内のデータ放送識別フラグにより前記放送抽出データの内容を示すことを特徴とする、請求項１記載のデータ放送記録方法。
【請求項５】
前記通常の放送を第２のファイルに記録し、前記データ放送を前記第２のファイルまたは第３のファイルに記録し、前記データ放送のうち全部または一部、または、前記第２または前記第３のファイルに記録された記録データ放送のうち全部または一部をコピーまたは切り取ったものを放送抽出データとして、データの種別と符号化フォーマットとの組み合わせに応じて第４以降のファイルに記録し、前記管理データ内のデータ放送記録ファイル識別フラグにより前記データ放送を前記第２のファイルに記録したか前記第３のファイルに記録したか示し、前記管理データ内のデータ放送識別フラグにより前記放送抽出データの内容を示すことを特徴とする、請求項１記載のデータ放送記録方法。
【請求項６】
放送外関連情報を、前記第１のファイル及び前記通常の放送を記録するファイルと異なったファイルに記録することを特徴とする、請求項１記載のデータ放送記録方法。
【請求項７】
放送外関連情報を、第３のファイルに記録し、前記管理データ内の放送外関連情報識別フラグにより前記放送外関連情報の内容を示すことを特徴とする、請求項１記載のデータ放送記録方法。
【請求項８】
放送外関連情報を、前記第３のファイルまたは第４のファイルに記録放送外関連情報として記録し、前記管理データ内の放送外関連情報記録ファイル識別フラグにより前記放送外関連情報を前記第３のファイルに記録したか前記第４のファイルに記録したか示し、前記管理データ内の放送外関連情報識別フラグにより前記記録放送外関連情報の内容を示すことを特徴とする、請求項１記載のデータ放送記録方法。
【請求項９】
放送外関連情報を、前記第３のファイルまたは第４のファイルに記録し、前記放送外関連情報の全部または一部、または前記第３のファイルまたは前記第４のファイルに記録された記録放送外関連情報のうち全部または一部をコピーまたは切り取ったものを関連抽出データとして前記第３のファイルに記録し、前記管理データ内の放送外関連情報記録ファイル識別フラグにより前記放送外関連情報を前記第３のファイルに記録したか前記第４のファイルに記録したか示し、前記管理データ内の放送外関連情報識別フラグにより前記記録放送外関連情報の内容と、前記関連抽出データの内容とを示すことを特徴とする、請求項２記載のデータ放送記録方法。
【請求項１０】
放送外関連情報を、新規ファイルに記録し、前記放送外関連情報の全部または一部、または前記新規ファイルに記録された記録放送外関連情報のうち全部または一部をコピーまたは切り取ったものを関連抽出データとして、その符号化フォーマットに対応するファイルに記録し、前記管理データ内の放送外関連情報記録ファイル識別フラグにより前記放送外関連情報を何番目のファイルに記録したか示し、前記管理データ内の放送外関連情報識別フラグにより前記記録放送外関連情報の内容と、前記関連抽出データの内容とを示すことを特徴とする、請求項３記載のデータ放送記録方法。
【請求項１１】
放送外関連情報を、前記第３のファイルまたは第４のファイルに記録放送外関連情報として記録し、前記放送外関連情報の全部または一部、または前記記録放送外関連情報のうち全部または一部をコピーまたは切り取ったものを関連抽出データとして第３のファイルに記録し、前記管理データ内の放送外関連情報記録ファイル識別フラグにより前記放送外関連情報を前記第３のファイルに記録したか前記第４のファイルに記録したか示し、前記管理データ内の放送外関連情報識別フラグにより前記記録放送外関連情報の内容と、前記関連抽出データの内容とを示すことを特徴とする、請求項４記載のデータ放送記録方法。
【請求項１２】
放送外関連情報を、記録放送外関連情報として新規ファイルに記録し、前記放送外関連情報の全部または一部、または前記記録放送外関連情報のうち全部または一部をコピーまたは切り取ったものを関連抽出データとして、符号化フォーマットに対応するファイルに記録し、前記管理データ内の放送外関連情報記録ファイル識別フラグにより前記放送外関連情報を何番目のファイルに記録したか示し、前記管理データ内の放送外関連情報識別フラグにより前記記録放送外関連情報の内容と、前記関連抽出データの内容とを示すことを特徴とする、請求項５記載のデータ放送記録方法。
【請求項１３】
前記放送外関連情報が、放送に関連するインターネット情報、番組付加情報、ディレクターズカット情報、ディレクターズコメント情報、Ｅコマース情報、チャット情報、予告情報といったインターネット付加情報のうち全部または一部であることを特徴とする、請求項６〜１２のいずれかに記載のデータ放送記録方法。
【請求項１４】
前記放送抽出データまたは前記関連抽出データが、動画データ、静止画データ、音声データ、アニメーションデータ、グラフィックデータ、文字データのうち全部、または一部であることを特徴とする、請求項２〜５、９〜１２のいずれかに記載のデータ放送記録方法。
【請求項１５】
前記データ放送には、番組連動型データ放送、独立型データ放送、オーディオ放送またはラジオ放送が含まれることを特徴とする、請求項１〜１２のいずれかに記載のデータ放送記録方法。
【請求項１６】
前記データ放送が番組連動型データ放送ならば当該データ放送を第２のファイルに記録し、前記データ放送が独立型データ放送ならば当該データ放送を第３のファイルに記録することを特徴とする、請求項１、４、５、７、１１、及び１２のいずれかに記載のデータ放送記録方法。
【請求項１７】
前記管理データ内のデータ放送記録ファイル識別フラグまたは放送外関連情報記録ファイル識別フラグが、相当するファイルにデータ放送または放送外関連情報が記録されているか、またはデータ放送が記録されているファイルまたは放送外関連情報が記録されているファイルを示し、
前記管理データ内のデータ放送識別フラグまたは放送外関連情報識別フラグが、相当するストリームにデータ放送または放送外関連情報が記録されているか否か、前記放送抽出データ／前記関連抽出データが、直接記録かコピーか移動かの別、前記放送抽出データ／前記関連抽出データがコピーまたは移動の場合にソースが存在するかどうかと存在するときファイル名、ソースストリーム名、ソースストリームナンバー、前記放送抽出データ／前記関連抽出データの種別及び圧縮方式、のうち全部、または一部を示すことを特徴とする、請求項１〜１２のいずれかに記載のデータ放送記録方法。
【請求項１８】
前記第１のファイルに、記録ストリームにデータ放送が含まれないか／主放送と連動したデータ放送が含まれるか／主放送と連動しない独立データ放送が含まれるか／主放送と連動しない独立オーディオ放送が含まれるか／インターネット情報またはストリーミングデータが含まれるかを示すフラグ、通常放送ストリームか蓄積型放送ストリームかを示すフラグ、圧縮方式を示すフラグ、データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、前記放送抽出データ／前記関連抽出データがニュース・天気予報・株式情報などの場合において自動更新を行うか否かを示すフラグ、最新データ更新時刻、タイムマップが存在するかしないかを示すフラグ、のうち全部、または一部が記録されることを特徴とする、請求項１〜１２のいずれかに記載のデータ放送記録方法。
【請求項１９】
前記圧縮方式を示すフラグとして、MPEGビデオかH.264ビデオかWindows（登録商標）Mediaビデオかの種別を示す動画データ圧縮方式フラグ、MPEGオーディオかDolbyオーディオかDTSオーディオかの種別を示す音声データ圧縮方式フラグ、JPEGかPNGかの種別を示す静止画データ圧縮方式フラグ、の全部又は一部を含むことを特徴とする、請求項１６又は１７記載のデータ放送記録方法。
【請求項２０】
放送波が入力されるチューナーと、該チューナーの出力から通常の放送、データ放送を選択して出力する放送選択手段と、放送外関連情報の入力手段と、記録すべきデータの種類、記録方法を指定する信号を含む制御を受ける記録制御手段と、前記記録制御手段からの指示に基づいて、前記通常の放送、前記データ放送、前記放送外関連情報のうち、記録すべきデータを選択、統合して出力する統合選択手段と、前記記録制御手段からの指示に基づいて、前記統合選択手段からの記録すべきデータに対して記録フォーマット化を施し、記録すべきファイルを指定すると共に、記録されるデータ種別に応じた管理データを発生してＨＤＤあるいはＤＶＤに記録する記録フォーマット化手段と、を含んで、請求項１〜１２のいずれかに記載されたデータ放送記録方法でデータを記録するデータ記録装置、及び／または、フォーマット別に用意された複数のデコード手段と、管理データ解読、再生方法決定をさせるための制御入力を受ける再生制御手段と、前記ＨＤＤあるいはＤＶＤからの再生信号を入力し、前記再生制御手段からの指示に基づいて、入力した再生信号のフォーマットを解読し、解読したフォーマットに対応する前記デコード手段に出力する再生フォーマット解読手段と、前記デコード手段からデコードされた映像、音声データを受け、前記再生制御手段からの指示に基づいて、再生映像信号を再構成する再生映像再構成手段と、を含んで、当該データ放送記録方法で記録されたデータを再生するデータ再生装置。
【発明の詳細な説明】
【技術分野】  この発明は、ハードディスク／ＤＶＤコンボ型ビデオレコーダ、ＤＶＤビデオレコーダ、ＤＶＤストリームレコーダ、ハードディスクビデオレコーダなど記録装置におけるデータ放送記録再生方法、装置、および記録媒体に関する。
【背景技術】  従来、ＤＶＤ（Ｄｉｇｉｔａｌ  Ｖｅｒｓａｔｉｌｅ  Ｄｉｓｃ）におけるビデオ、ストリーム関連アプリケーションフォーマットは、ＤＶＤ−Ｆｏｒｕｍにおいて、再生専用のＤＶＤ−Ｖｉｄｅｏ、記録再生と編集が容易なＤＶＤ−ＶＲ（Ｖｉｄｅｏ  Ｒｅｃｏｒｄｉｎｇ）、放送または伝送ストリームの直接記録と再生が容易なＤＶＤ−ＳＲ（Ｓｔｒｅａｍ  Ｒｅｃｏｒｄｉｎｇ）フォーマットが規格化されている。
ＤＶＤ−Ｖｉｄｅｏは、映画などのコンテンツを予め記録しておくためのディスク再生専用フォーマットであり、ホームシアターをメインターゲットとしている。ＤＶＤ−ＶＲは、アナログビデオをディジタル化し、ＭＰＥＧ−２エンコードして記録することを主たる目的としたフォーマットであり、アナログ放送記録とビデオカメラをメインターゲットとしている。ＤＶＤ−ＳＲは、ＭＰＥＧストリームとして送られてきたデータを基本的にはそのまま記録するフォーマットであり、デジタル放送のダイレクト記録をメインターゲットとしている。現在、ＤＶＤ−Ｖｉｄｅｏは商品として世界中に広まり、ＤＶＤ−ＶＲも大幅に広まりつつあるが、ＤＶＤ−ＳＲは商品化されていない。
ここで、ＤＶＤ−ＶＲによりアナログ放送を記録する場合、これまでデータ放送記録のことは考慮されていなかった。即ち、データ放送を記録しようとすると、例えばデータ放送のデータをＭＰＥＧ−２フォーマットで規定されているＰＥＳ＿ｐｒｉｖａｔｅ＿ｄａｔａファイルに配置して記録することなどが考えられた。
また、ＤＶＤ−ＳＲによりデジタル放送をダイレクトに記録する場合、デジタル放送を何も加工せず、そのままダイレクト記録することが考えられた。
一方、日本国特許公開公報２００３−２８８７６７号（文献１）には、映像音声ストリーム記録において互換性を維持しつつ多機能化を実現し、且つ、ビデオ記録など他の映像記録機器との最適なデータ送受信、記録を可能とする記録方法が提案されている。
しかしながら、前述したような記録方法によりデータ放送の記録を行おうとすると、以下のような問題点が挙げられる。
即ち、ＤＶＤ−ＶＲ、またはＤＶＤ−Ｖｉｄｅｏでアナログまたはデジタル放送を記録する場合、ＰＥＳ＿ｐｒｉｖａｔｅ＿ｄａｔａファイルにデータ放送のデータを記録することは可能であるが、プライベートデータとして記録するためフォーマットが規定されておらず、異なった装置間での互換が取れない。また、仮に互換が取れたとしても、本放送とデータ放送が１ストリームに多重化されているため、データ放送のデータを本放送と切り離して保存、編集、削除、加工、特殊再生など行うことが非常に困難である。
また、ＤＶＤ−ＳＲにおいてデジタル放送をダイレクトで記録した場合も、本放送とデータ放送の切り分け、データ放送の内容、データ放送チャンネルに関して、記録ストリーム中を検索しなければ詳細が分からず、また、仮に詳細が分かったとしても、本放送とデータ放送が１ストリームに多重化されているため、データ放送のデータを本放送と切り離して保存、編集、削除、加工、特殊再生など行うことが非常に困難である。
更に、文献１では、データ放送を記録すること並びに記録する際における問題点については何等言及されていない。
【発明の開示】
本発明の目的は、データ放送のデータを任意且つ容易に処理することができるデータ放送記録方法を提供することである。
本発明の他の目的は、上記した記録方法によってデータを記録された記録媒体を提供することである。
本発明の更に他の目的は、上記した記録方法にしたがってデータを記録及び／又は再生する装置を提供することである。
本発明は前記課題を解決したものであり、管理データを第１のファイルに記録し、通常の放送及びデータ放送を前記第１のファイルとは異なる１以上のファイルに記録することを第１の特徴とする。
また、第１の特徴を持つデータ放送記録方法において、前記通常の放送と前記データ放送を第２のファイルに共通に記録することを第２の特徴とする。
また、第１の特徴を持つデータ放送記録方法において、前記通常の放送を第２のファイルに記録し、前記データ放送を前記第２のファイルまたは第３のファイルに記録し、前記管理データ内のデータ放送記録ファイル識別フラグにより前記データ放送を前記第２のファイルに記録したか前記第３のファイルに記録したか示すことを第３の特徴とする。
また、第１の特徴を持つデータ放送記録方法において、前記通常の放送と前記データ放送を第２のファイルに記録し、前記データ放送のうち全部または一部、または、前記第２のファイルに記録された記録データ放送のうち全部または一部をコピーまたは切り取ったものを放送抽出データとして第３のファイルに記録し、前記管理データ内のデータ放送識別フラグにより前記放送抽出データの内容を示すことを第４の特徴とする。
また、第１の特徴を持つデータ放送記録方法において、前記通常の放送と前記データ放送を第２のファイルに記録し、前記データ放送のうち全部または一部、または、前記第２のファイルに記録された記録データ放送のうち全部または一部からコピーまたは切り取ったものを放送抽出データとして、データの種別と符号化フォーマットとの組み合わせに応じて第３以降のファイルに記録し、前記管理データ内のデータ放送識別フラグにより前記放送抽出データの内容を示すことを第５の特徴とする。
更に、第１の特徴を持つデータ放送記録方法において、前記通常の放送を第２のファイルに記録し、前記データ放送を前記第２のファイルまたは第３のファイルに記録し、前記データ放送のうち全部または一部、または、前記第２または前記第３のファイルに記録された記録データ放送のうち全部または一部からをコピーまたは切り取ったものを放送抽出データとして前記第３または第４のファイルに記録し、前記管理データ内のデータ放送記録ファイル識別フラグにより前記データ放送を前記第２のファイルに記録したか前記第３のファイルに記録したか示し、前記管理データ内のデータ放送識別フラグにより前記放送抽出データの内容を示すことを第６の特徴とする。
また、第１の特徴を持つデータ放送記録方法において、前記通常の放送を第２のファイルに記録し、前記データ放送を前記第２のファイルまたは第３のファイルに記録し、前記データ放送のうち全部または一部、または、前記第２または前記第３のファイルに記録された記録データ放送のうち全部または一部をコピーまたは切り取ったものを放送抽出データとして、データの種別と符号化フォーマットとの組み合わせに応じて第４以降の同じファイルに記録し、前記管理データ内のデータ放送記録ファイル識別フラグにより前記データ放送を前記第２のファイルに記録したか前記第３のファイルに記録したか示し、前記管理データ内のデータ放送識別フラグにより前記放送抽出データの内容を示すことを第７の特徴とする。
また、第１の特徴を持つデータ放送記録方法において、放送外関連情報を、前記第１のファイル及び前記通常の放送を記録するファイルと異なったファイルに記録することを第８の特徴とする。
また、第２の特徴を持つデータ放送記録方法において、放送外関連情報を、第３のファイルに記録し、管理データ内の放送外関連情報識別フラグにより放送外関連情報の内容を示すことを第９の特徴とする。
また、第３の特徴を持つデータ放送記録方法において、放送外関連情報を、前記第３のファイルまたは新規第４のファイルに記録放送外関連情報として記録し、前記管理データ内の放送外関連情報記録ファイル識別フラグにより前記放送外関連情報を第３のファイルに記録したか第４のファイルに記録したか示し、前記管理データ内の放送外関連情報識別フラグにより前記記録放送外関連情報の内容を示すことを第１０の特徴とする。
また、第４の特徴を持つデータ放送記録方法において、放送外関連情報を、前記第３のファイルまたは新規第４のファイルに記録し、前記放送外関連情報の全部又は一部、又は前記第３のファイルまたは前記第４のファイルに記録された記録放送外関連情報のうち全部または一部をコピーまたは切り取ったものを関連抽出データとして前記第３のファイルに記録し、前記管理データ内の放送外関連情報記録ファイル識別フラグにより前記放送外関連情報を前記第３のファイルに記録したか前記第４のファイルに記録したか示し、前記管理データ内の放送外関連情報識別フラグにより前記記録放送外関連情報の内容と、前記関連抽出データ情報の内容とを示すことを第１１の特徴とする。
更に、第５の特徴を持つデータ放送記録方法において、放送外関連情報を、新規ファイルに記録し、前記放送外関連情報の全部又は一部、又は前記新規ファイルに記録された記録放送外関連情報のうち全部または一部をコピーまたは切り取ったものをその符号化フォーマットに対応するファイルに記録し、前記管理データ内の放送外関連情報記録ファイル識別フラグにより前記放送外関連情報を何番目のファイルに記録したか示し、前記管理データ内の放送外関連情報識別フラグにより前記記録放送外関連情報の内容と、前記関連抽出データの内容とを示すことを第１２の特徴とする。
また、第６の特徴を持つデータ放送記録方法において、放送外関連情報を、前記第３のファイルまたは新規第４のファイルに記録放送外関連情報として記録し、前記放送外関連情報の全部又は一部、または前記記録放送外関連情報のうち全部または一部をコピーまたは切り取ったものを関連抽出データとして第３のファイルに記録し、前記管理データ内の放送外関連情報記録ファイル識別フラグにより前記記録放送外関連情報を前記第３のファイルに記録したか前記第４のファイルに記録したか示し、前記管理データ内の放送外関連情報識別フラグにより前記記録放送外関連情報の内容と、前記関連抽出データの内容とを示すことを第１３の特徴とする。
更に、第７の特徴を持つデータ放送記録方法において、放送外関連情報を、記録放送外関連情報として前記新規ファイルに記録し、前記放送外関連情報の全部または一部、または前記記録放送外関連情報のうち全部または一部をコピーまたは切り取ったものを関連抽出データとして、符号化フォーマットに対応するファイルに記録し、前記管理データ内の放送外関連情報記録ファイル識別フラグにより前記放送外関連情報を何番目のファイルに記録したか示し、前記管理データ内の放送外関連情報識別フラグにより前記記録放送外関連情報の内容と、前記関連抽出データの内容とを示すことを第１４の特徴とする。
また、第８〜１４のいずれかの特徴を持つデータ放送記録方法において、前記放送外関連情報が、放送に関連するインターネット情報、番組付加情報、ディレクターズカット情報、ディレクターズコメント情報、Ｅコマース情報、チャット情報、予告情報といったインターネット付加情報のうち全部または一部であることを第１５の特徴とする。
また、第４〜７，１１〜１４のいずれかの特徴を持つデータ放送記録方法において、前記放送抽出データまたは前記関連抽出データが、動画データ、静止画データ、音声データ、アニメーション、グラフィックデータ、文字データのうち全部、または一部であることを第１６の特徴とする。
また、第１〜１４のいずれかの特徴を持つデータ放送記録方法において、データ放送には、番組連動型データ放送、独立型データ放送、オーディオ放送またはラジオ放送が含まれることを第１７の特徴とする。
また、第３，６，７，９，１３，１４のいずれかの特徴を持つデータ放送記録方法において、前記データ放送が番組連動型データ放送ならば当該データ放送を第２のファイルに記録し、前記データ放送が独立型データ放送ならば当該データ放送を第３のファイルに記録することを第１８の特徴とする。
また、第１〜１４のいずれかの特徴を持つデータ放送記録方法において、前記管理データ内のデータ放送記録ファイル識別フラグ、または放送外関連情報記録ファイル識別フラグが、相当するファイルにデータ放送または放送外関連情報が記録されているか、またはデータ放送が記録されているファイル、または放送外関連情報が記録されているファイルを示し、前記管理データ内のデータ放送識別フラグ、または放送外関連情報識別フラグが、相当するストリームにデータ放送または放送外関連情報が記録されているか否か、前記放送抽出データ／前記関連抽出データが、直接記録かコピーか移動かの別、前記放送抽出データ／前記関連抽出データがコピーまたは移動のときソースが存在するかどうかと存在するときファイル名、ソースストリーム名、ソースストリームナンバー、前記放送抽出データ／前記関連抽出データの種別及び圧縮方式、のうち全部、または一部を示すことを第１９の特徴とする。
また、第１〜１４のいずれかの特徴を持つデータ放送記録方法において、前記第１のファイルに、記録ストリームにデータ放送が含まれないか／主放送と連動したデータ放送が含まれるか／主放送と連動しない独立データ放送が含まれるか／主放送と連動しない独立オーディオ放送が含まれるか／インターネット情報またはストリーミングデータが含まれるかを示すフラグ、通常放送ストリームか蓄積型放送ストリームかを示すフラグ、圧縮方式を示すフラグ、データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、前記放送抽出データ／前記関連抽出データがニュース・天気予報・株式情報などの場合において自動更新を行うか否かを示すフラグ、最新データ更新時刻、タイムマップが存在するかしないかを示すフラグ、のうち全部、または一部が記録されることを第２０の特徴とする。
また、第１８または１９の特徴を持つデータ放送記録方法において、ＭＰＥＧビデオかＨ．２６４ビデオかＷｉｎｄｏｗｓ（登録商標）Ｍｅｄｉａビデオかの種別を示す動画データ圧縮方式フラグと、ＭＰＥＧオーディオかＤｏｌｂｙオーディオかＤＴＳオーディオかの種別を示す音声データ圧縮方式フラグと、ＪＰＥＧかＰＮＧかの種別を示す静止画データ圧縮方式フラグ、の全部または一部を含むことを第２１の特徴とする。
また、本発明の別の態様によれば、上記第１〜１４の特徴を持つデータ放送記録方法でデータを記録するデータ記録装置、及び／または当該データ放送記録方法で記録されたデータを再生するデータ再生装置が得られる。
更に、本発明の他の態様によれば、上記第１〜１４の特徴を持つデータ放送記録方法で記録が行われた記録媒体が得られる。
【発明の効果】
本発明は、管理データを第１のファイルに記録し、通常の放送とデータ放送を第２のファイルに記録する。これによって、本発明では、データ放送を容易に記録可能であり、かつ記録されたデータ放送を、本放送と切り離して保存、編集、削除、加工、特殊再生など行うことが容易に実現できるという効果がある。
この場合、第２のファイルに記録されたデータ放送のうち全部または一部を第３のファイルにコピーまたは移動し、管理データ内のデータ放送識別フラグにより第３のファイルにコピーまたは移動されたデータ放送の内容を示すことによって、上記したデータ放送の処理はより容易になる。ここで、コピーまたは移動するデータは、動画データ、静止画データ、音声データ、アニメーションデータ、グラフィックデータ、文字データのうち全部、または一部であっても良い。また、放送に関連するインターネット情報、番組付加情報、ディレクターズカット情報、ディレクターズコメント情報、Ｅコマース情報、チャット情報、予告情報のうち全部または一部を、通常の放送を記録する第２のファイルと異なったファイルに記録してもよい。
換言すれば、本発明によれば、放送を記録するファイルと、放送に関連するデータを記録するファイルとを別にすることによって、データ放送を容易に記録可能であり、かつ記録されたデータ放送を、本放送と切り離して保存、編集、削除、加工、特殊再生など行うことが容易に実現できる。
【図面の簡単な説明】  図１は、本発明によりデータ放送記録を実現するデータ記録再生装置の全体構成を示すブロック図であり、
図２は、本発明にしたがって、データ放送、オーディオ放送、インターネット付加情報を再生出力する部分を具体的に示すブロック図であり、
図３は、本発明の一実施例に係る記録方法を説明するためのブロック図であり、
図４は、本発明の他の実施例に係る記録方法を説明するための図であり、ここでは、管理データを第１のファイル、タイムマップデータを他のファイル、通常の放送と番組連動型データ放送を第２のファイル、独立型データ放送を第３のファイルに記録する例を示しており、
図５は、本発明の更に他の実施例に係る記録方法を説明するための図であり、ここでは、管理データを第１のファイル、タイムマップデータを他のファイル、通常の放送とデータ放送を同じ第２のファイルに記録した後、データ放送のうちの一部を第３のファイルにコピーする例を示しており、
図６は、本発明の別の実施例に係る記録方法を説明するための図であり、ここでは、管理データを第１のファイル、タイムマップデータを他のファイル、通常の放送とデータ放送を第２のファイル、第２のファイルに記録されたデータ放送のうち一部を第３以降の同じ種類のデータファイルにコピーする例を示しており、
図７は、本発明の更に別の実施例に係る記録方法を説明するための図であり、ここでは、管理データを第１のファイル、タイムマップデータを他のファイル、通常の放送と連動型データ放送を第２のファイル、独立型データ放送を第３のファイルに記録した後、連動型データ放送のうちの一部と独立型データ放送のうち一部を第３のファイルにコピーする例を示しており、
図８は、本発明の他の実施例に係る記録方法を説明するための図であり、ここでは、管理データを第１のファイル、タイムマップデータを他のファイル、通常の放送と番組連動型データ放送を第２のファイル、独立型データ放送と独立オーディオ放送を第３のファイルに記録し、第２または第３のファイルに記録されたデータ放送のうち一部を、それぞれ第４以降の同じファイルにコピーする例を示しており、
図９は、本発明の更に他の実施例に係る記録方法を説明するための図であり、ここでは、管理データを第１のファイル、タイムマップデータを他のファイル、通常の放送とデータ放送を同じ第２のファイル、放送に関連するインターネット関連情報を第３のファイルに記録する例を示しており、
図１０は、本発明の他の実施例に係る記録方法を説明するための図であり、ここでは、管理データを第１のファイル、タイムマップデータを他のファイル、通常の放送とデータ放送を同じ第２のファイル、放送に関連するインターネット関連情報を第３のファイルに記録した後、第２／第３のファイルを第３のファイルにコピーする例を示しており、
図１１は、本発明の更に他の実施例に係る記録方法を説明するための図であり、ここでは、管理データを第１のファイル、タイムマップデータを他のファイル、通常の放送と連動型データ放送を第２のファイル、独立型データ放送と独立オーディオ放送、および放送に関連するインターネット関連情報を第３のファイルに記録した後、第２／第３のファイルを第３のファイルにコピーする例を示しており、
図１２Ａは、本発明で使用されるＤＶＤ＿ＨＤＶＲファイルの構成例の一部を示す図であり、
図１２Ｂは、本発明で使用されるＤＶＤ＿ＨＤＶＲファイルの構成例の他の部分を示す図であり、
図１２Ｃは、本発明で使用されるＤＶＤ＿ＨＤＶＲファイルの構成例の更に他の部分を示す図であり、
図１２Ｄは、本発明で使用されるＤＶＤ＿ＨＤＶＲファイルの構成例の他の部分を示す図である。
【発明を実施するための最良の形態】  図１〜図１２Ｄを参照して、本発明に係る実施例を説明する。
図１を参照すると、本発明によりデータ放送記録を実現するデータ放送記録・再生装置が示されている。尚、装置内の各ブロックは、主にソフトウェアを用いて実現される場合を例示的に示しているが、ハードウェアによって実現されても良い。
図１では、データ放送、オーディオ放送、インターネット付加情報を、ハードディスクドライブ（ＨＤＤ）またはＤＶＤ（Ｄｉｇｉｔａｌ  Ｖｅｒｓａｔｉｌｅ  Ｄｉｓｃ）ビデオレコーダによりハードディスクまたはＤＶＤに記録する例を示す。
図１のデータ放送記録・再生装置には、図示しない受信部から放送波１０１が入力される。放送波１０１は、連動型データ放送なし通常放送、連動型データ放送つき通常放送、独立型データ放送、及びオーディオ放送のうち全部、または一部である。これらは、すべて伝送ストリーム（ＴＳ：Ｔｒａｎｓｐｏｒｔ  Ｓｔｒｅａｍ）である。
また、データ放送記録・再生装置には、放送外関連情報の一例としてインターネット付加情報１０２が入力される。インターネット付加情報１０２は、放送に関連するインターネット情報、番組付加情報、ディレクターズカット情報、ディレクターズコメント情報、Ｅコマース情報、チャット情報、予告情報などから構成される。これらは、基本的にはＴＳでないが、ＴＳでも同様である。
さらにデータ放送記録・再生装置には、制御信号１０３も入力される。制御信号１０３は、データ放送、オーディオ放送、インターネット付加情報１０２などのうち、記録する情報の種類と記録方法を指定する信号であり、ユーザによって与えられるユーザオペレーション信号である。尚、上記した放送波１０１、インターネット付加情報１０２、及び、制御信号１０３は同時的に入力されても良いし、個別に入力されても良い。ここで、通常の放送波はアナログ放送波であっても良い。
放送波１０１は、チューナー１０４により復調、復号され、通常放送選択部１０６、連動型データ放送選択部１０７、独立型データ放送選択部１０８、及びオーディオ放送選択部１０９へ出力される。通常放送選択部１０６は連動型データ放送なし通常放送を、連動型データ放送選択部１０７は連動型データ放送つき通常放送を、独立型データ放送選択部１０８は独立型データ放送を、及びオーディオ放送選択部１０９はオーディオ放送をそれぞれ選択して、選択統合部１１１へ出力する。
インターネット付加情報１０２は、インターネット入力部１０５を経てインターネット付加情報選択部１１０に入力され選択されて、選択統合１１１へ出力される。
統合選択部１１１は、入力される連動型データ放送なし通常放送、連動型データつき通常放送、独立型データ放送、オーディオ放送及びインターネット付加情報のうち、記録すべきデータを１以上選択、統合して記録フォーマット化部１１２へ出力する。
記録フォーマット化部１１２は、選択統合部１１１から入力した記録データに対し、記録フォーマット化を施し、記録ファイルを指定するとともに、制御信号１０３に基づいて、記録されるデータ種別に応じた管理データを発生し、専用の管理データファイルまたはタイムマップデータファイルとしてＨＤＤ１１３またはＤＶＤ１１４へ記録する。記録ファイル構造に関しては、後ほど詳しく述べる。即ち、この実施例では、ユーザオペレーション信号である制御信号１０３に対応した管理データがＤＶＤ１１４又はＨＤＤ１１３に記録されることになる。ここで、ＨＤＤ１１３、ＤＶＤ１１４はそれぞれハードディスク、光ディスク記録媒体を示す。
データコピー・移動部１１５は、ＨＤＤ１１３またはＤＶＤ１１４に記録されたデータ放送、オーディオ放送、及び／またはインターネット付加情報のデータを他のファイル、または他のグループにコピー、または移動するブロックである。データコピー・移動の内容、手順に関しては、後ほど詳しく述べる。
制御信号１０３は、記録制御部１１６に対し、記録データ・記録ファイル決定、管理データ発生、データコピー・移動制御を指示する。つまり、制御信号１０３は、選択統合部１１１においてどのデータを選択・統合するのか、記録フォーマット化部１１２においてどのようなフォーマットに変換するか指定するとともに、記録フォーマット、記録ファイルを指定する。また、制御信号１０３は、記録制御部１１６に選択統合化されたデータの管理データを発生させ、その管理データを専用の管理データファイルまたはタイムマップデータファイルとしてＨＤＤ１１３又はＤＶＤ１１４に記録させる。記録ファイル構造に関しては、後ほど詳しく述べる。同時に、制御信号１０３は、記録制御部１１６に、データコピー・移動部１１５に対して、データコピー・移動方法を指定する。
ＨＤＤ１１３およびＤＶＤ１１４に記録されたデータは、両者間でダビングが行われるとともに、再生信号１１７として外部出力される。再生は図示したようにＨＤＤ１１３からは再生１、ＤＶＤ１１４からは再生２としてされてもよい。あるいは、再生１と再生２の一方を選択するセレクタ（図２参照）を用いて１系統として出力するようにしてもいい。
図２に、データ放送、オーディオ放送、インターネット付加情報を再生出力するデータ再生装置のブロック図を示す。
ＨＤＤ１１３、ＤＶＤ１１４から再生された信号は、選択部２０１により選択された後、再生フォーマット解読部２０３に入力する。
また、同時に制御信号２０２がユーザの操作により再生制御部２１１に入力される。制御信号２０２は、再生制御部２１１に管理データ解読、再生方法決定をさせるための制御入力である。
再生フォーマット解読部２０３は、選択部２０１から入力した再生信号のフォーマットを解読し、各フォーマットに対応するデコード部２０４〜２０８へ再生信号を出力する。例えば、再生フォーマット解読部２０３は、ＭＰＥＧ動画であれば動画デコード部２０４へ、ＪＰＥＧ静止画であれば静止画デコード部２０５へ、ＭＰＥＧ−２  ＡＡＣオーディオであれば音声デコード部２０６へ、ＭＮＧアニメーションであればアニメーションデコード部２０７、文字、その他であれば文字、その他デコード部２０８へ再生信号を出力する。
再生フォーマット解読部２０３からの出力信号は、動画デコード部２０４、静止画デコード部２０５、音声デコード部２０６、アニメーションデコード部２０７、及び文字、その他デコード部２０８において、それぞれのフォーマットに応じてデコードされ、再生映像再構成部２０９へ出力される。
再生映像再構成部２０９は、各フォーマットに従ってデコードされた映像、音声、データから、オーバーレイなどにより再生映像信号を再構成する。再生映像信号は、Ｄ／Ａ変換器２１０において、ディジタル／アナログ変換される。
また、再生制御部２１１は、再生フォーマット解読部２０３に対して再生データ指定、再生フォーマット解読制御を行い、再生映像再構成部２０９に対してオーバーレイなどの再生映像再構成制御を行う。
Ｄ／Ａ変換器２１０から、映像、音声、データを含む再生出力信号２１２が外部出力される。
図３を参照して、本発明の一実施例に係るデータ放送記録方法を説明する。本発明の一実施例に係る記録方法では、管理データを第１のファイルに記録し、通常の放送とデータ放送を第２のファイルに共通に記録する。この記録方法では、管理データにしたがって、放送データ等の処理が行われ、この結果、放送データ等の保存、編集等が容易になる。
ここで、データ放送には、番組連動型データ放送と独立型データ放送がある。
番組連動型データ放送は、いわゆるテレビ放送と連動したデータ放送のことであって、番組連動型データ放送付き通常放送に含まれている。例えばワールドカップサッカー番組における選手紹介、高校野球甲子園大会の放送におけるチーム紹介、選手紹介、ファンからの応援メッセージ、試合結果などが、これに相当する。
独立型データ放送は、テレビ番組から離れて、写真や文字情報などのデータだけを独立で放送するデータ放送のことである。テレビ番組とは無関係に放送されるニュース、天気予報、株価、星占いなどが、これに相当する。
また、データ放送の１つの形態としてオーディオ放送がある。オーディオ放送は、オーディオのみを単独で放送するものである。
図３では、参照番号３０１が第１のファイル、参照番号３０２が他のファイル、参照番号３０３が第２のファイルを、それぞれ示す。
第１のファイル（ＨＲ＿ＭＡＮＧＲ＿ＩＦＯ＿）３０１には、管理データ３０４が含まれている。管理データ３０４に関しては、後ほど詳しく説明する。
他のファイル（ＨＲ＿ＳＴＭＡＰ＿ＩＦＯ）３０２には、タイムマップデータ３０５が含まれている。タイムマップデータ３０５は、通常放送３０６を初めとする第２のファイル３０３に含まれるデータの記録時刻と記録位置の関係を示すマップである。
なお、図３では、管理データ３０４が第１のファイル３０１に含まれ、タイムマップデータ３０５が他のファイル３０２に含まれるとしているが、管理データ３０４とタイムマップデータ３０５が両方とも第１のファイル３０１に含まれるとしても良い。その場合、他のファイル３０２は存在しなくなる。
第２のファイル（ＨＲ＿ＳＴＲＭｘ．ＳＲＯ）３０３には、データ放送なしの通常放送３０６、番組連動型データ放送つきの通常放送３０７、独立データ放送３０８、独立オーディオ放送３０９が記録されている。
図４を参照すると、本発明の他の実施例に係るデータ放送記録方法が示されており、ここでは、管理データを第１のファイルに記録し、タイムマップデータを他のファイルに記録し、通常の放送と番組連動型データ放送を第２のファイルに記録し、独立型データ放送を第３のファイルに記録する例を示している。
具体的に言えば、図４では、参照番号４０１が第１のファイル、参照番号４０２が他のファイル、参照番号４０３が第２のファイル、参照番号４０４が第３のファイルを、それぞれ示している。
第１のファイル４０１には、管理データ４０５が含まれている。管理データ４０５に関しては、後ほど詳しく説明する。
他のファイル４０２には、タイムマップデータ４０６が含まれている。他のファイル４０２とタイムマップデータ４０６との関係は、図３と同様である。
第２のファイル４０３には、通常の放送４０７と番組連動型データ放送４０８が含まれている。第３のファイル４０４には、独立型データ放送４０９と独立オーディオ放送４１０が含まれている。この構成によれば、番組連動型データ放送４０８と独立データ放送４０９とが別のファイルに含まれているため、ファイル毎にデータ放送の管理並びに編集を行うことができ、管理及び編集等が容易になると言う利点がある。
図５には、管理データを第１のファイルに記録し、タイムマップデータを他のファイルに記録し、通常の放送とデータ放送を同じ第２のファイルに記録した後、第２のファイルに記録された記録データ放送のうちの一部を放送抽出データとして第３のファイルにコピーする例が本発明の更に他の実施例として示されている。
図５では、参照番号５０１が第１のファイル、参照番号５０２が他のファイル、参照番号５０３が第２のファイル、参照番号５０４が第３のファイルを、それぞれ示している。
第１のファイル５０１には、管理データ５０５が含まれている。管理データ５０５に関しては、後ほど詳しく説明する。
他のファイル５０２には、タイムマップデータ５０６が含まれている。他のファイル５０２とタイムマップデータ５０６との関係は、図３と同様である。
第２のファイル５０３には、記録データ放送として、通常の放送５０７、番組連動型データ放送付通常放送５０８、独立型データ放送５０９、独立オーディオ放送５１０が含まれている。
第３のファイル５０４には、放送抽出データが含まれる。放送抽出データは、例えば、ＭＰＥＧ映像データ５１１、ＭＰＥＧ音声データ５１２、ＪＰＥＧデータ５１３、ＰＮＧデータ５１４、ＭＮＧデータ５１５、ＢＭＬデータ５１６から構成される。なお、第３のファイル５０４には、その他の方式の映像データ、音声データ、文字データが存在してもいい。
図５の矢印は、番組連動型データ放送付通常放送５０８からＭＰＥＧ映像データ５１１、ＪＰＥＧデータ５１３及びＢＭＬデータ５１６へ、また独立型データ放送５０９からＰＮＧデータ５１４、ＭＮＧデータ５１５及びＢＭＬデータ５１６へ、また独立オーディオ放送５１０からＭＰＥＧ音声データ５１２に、必要なデータをコピーする例を示している。例えば、番組連動型データ放送付通常放送５０８がスポーツニュースであるなら、それに含まれるサッカーゴール瞬間シーン５１７のみをコピーして、第３のファイル５０４中のＪＰＥＧデータ５１３に含めることができる。ＪＰＥＧデータ５１３に含まれた「サッカーゴール瞬間シーン」５１７は、他の用途に利用したり、静止画アルバムとして保存したり、あるいは単独で編集、削除、加工、特殊再生などを行うことが可能である。
同様に、第２のファイル５０３から動画を取り出してＭＰＥＧ映像データとして第３のファイルに記録し、お気に入りの歌手の歌声データのみ取り出してＤｏｌｂｙ  ＡＣ−３データとして記録し、好きなキャラクタのみ取り出してアニメーションＭＮＧデータとして記録することが可能である。
上記説明では、例としてデータの一部を取り出すとしたが、データの全部でもよく、「コピー」ではなくて第２のファイルからデータを切り取る（もとのデータを削除する）「移動」でもいい。また、放送を第２のファイルに記録すると同時に、データの全部、または一部を第３のファイルに直接記録してもいい。このようなコピー及び移動は、ユーザの操作に基づいて発生される制御信号にしたがって、第１のファイル５０１内の管理データ５０５を参照することによって行われる。この構成によれば、データ放送の管理を第３のファイル５０４内のデータを参照することによって行えると言う利点がある。
図６に、管理データを第１のファイルに記録し、タイムマップデータを他のファイルに記録し、通常の放送とデータ放送を第２のファイルに記録し、第２のファイルに記録されたデータ放送のうち一部をコピーして、データ種別と符号化フォーマットとの組み合わせに応じて分類された第３から第８のファイルに記録する例を示す。即ち、第２のファイルから、同じ符号化フォーマットを持つ動画、同じ符号化フォーマットを持つ静止画、同じ符号化フォーマットを持つ音声、同じ符号化フォーマットを持つアニメーション、同じ符号化フォーマットを持つ文字データを、それぞれ第３以降の同じファイルにコピーする例を示す。
図６では、参照番号６０１が第１のファイル、参照番号６０２が他のファイル、参照番号６０３が第２のファイル、参照番号６０４が第３のファイル、参照番号６０５が第４のファイル、参照番号６０６が第５のファイル、参照番号６０７が第６のファイル、参照番号６０８が第７のファイル、参照番号６０９が第８のファイルをそれぞれ表す。
第１のファイル６０１には、管理データ６１０が含まれている。管理データ６１０に関しては、後ほど詳しく説明する。
他のファイル６０２には、タイムマップデータ６１１が含まれている。他のファイル６０２とタイムマップデータ６１１との関係は、図３と同様である。
第２のファイル６０３には、通常の放送６１２、番組連動型データ放送付通常放送６１３、独立型データ放送６１４、独立オーディオ放送６１５が含まれている。
第３のファイルはＭＰＥＧ映像ファイル６０４、第４のファイルはＭＰＥＧ音声ファイル６０５、第５のファイルはＪＰＥＧファイル６０６、第６のファイルはＰＮＧファイル６０７、第７のファイルはＭＮＧファイル６０８、第８のファイルはＢＭＬファイル６０９である。なお、ファイル６０４〜６０９に関しては、その他の方式の映像、音声、データファイルが存在してもいい。
図６には、番組連動データ放送付通常放送６１３の一部をコピーして第３のファイル６０４等に記録する例が矢印で示されている。例えば、第２のファイル６０３に記録された番組連動型データ放送付通常放送６１３が歌番組「○○歌合戦」であるならば、歌手を取り出した動画６１６、歌（音声）６１７、衣装を取り出した静止画６１８、歌手を示すキャラクタアニメーション６１９、歌手のプロフィールの文字データ６２０を取り出して、それぞれＭＰＥＧデータとして第３のファイル（ＭＰＥＧデータファイル）６０４、ＭＰＥＧ  ＡＡＣオーディオデータとして第４のファイル（ＭＰＥＧ  ＡＡＣオーディオデータファイル）６０５、ＪＰＥＧデータとして第５のファイル（ＪＰＥＧデータファイル）６０６、アニメーションデータとして第７のファイル（ＭＮＧデータファイル）６０８、文字データとして第８のファイル（ＢＭＬデータファイル）６０９にコピーしている。これらのデータファイル６０４〜６０９は、他の用途に利用したり、動画／静止画／音声／アニメーション／文字データアルバムとして保存したり、あるいは単独で編集、削除、加工、特殊再生などを行うことが可能である。このようなデータ放送に対する処理は第１のファイル６０１内の管理データ６１０に基づいて行われる。
上記説明では、例としてデータの一部を取り出すとしたが、データの全部でもよく、「コピー」ではなくて第２のファイルからデータを切り取る（もとのデータを削除する）「移動」でもいい。また、第２のファイル６０３に放送を記録すると同時に、データの全部、または一部を第３のファイル６０４等に直接記録してもいい。この構成によれば、個別のデータを含むファイルを個々に参照することによって、所望のデータ処理を行うことができる。
図７に、管理データを第１のファイルに記録し、タイムマップデータを他のファイルに記録し、通常の放送と連動型データ放送付通常放送を第２のファイルに記録し、独立型データ放送を第３のファイルに記録した後、連動型データ放送のうちの一部と独立型データ放送のうち一部を第３のファイルにコピーする例を示す。
図７では、参照番号７０１が第１のファイル、参照番号７０２が他のファイル、参照番号７０３が第２のファイル、参照番号７０４が第３のファイルを示す。
第１のファイル７０１には、管理データ７０５が含まれている。管理データ７０５に関しては、後ほど詳しく説明する。
他のファイル７０２には、タイムマップデータ７０６が含まれている。他のファイル７０２とタイムマップデータ７０６との関係は、図３と同様である。
第２のファイル７０３には、通常の放送７０７、番組連動型データ放送付通常放送７０８が含まれ、他方、第３のファイル７０４には、独立型データ放送７０９、独立オーディオ放送７１０が含まれている点で、図６の例とは異なっている。図７に示されているように、第３のファイル７０４は更にＭＰＥＧ映像データ７１１、ＭＰＥＧ音声データ７１２、ＪＰＥＧデータ７１３、ＰＮＧデータ７１４、ＭＮＧデータ７１５、ＢＭＬデータ７１６から構成される。なお、第３のファイル７０４には、その他の方式の映像、音声、データが存在してもいい。
図７には、番組連動型データ放送付通常放送７０８の一部及び独立型データ放送７０９の一部をそれぞれコピーして放送抽出データとし、第３のファイル７０４に記録する例が矢印で示されている。例えば番組連動型データ放送付通常放送７０８及び独立型データ放送７０９がともに天気予報であるとして、東京地方に関するもののみ取り出して、東京地方天気予報７１７及び７１８をともにＪＰＥＧデータ７１３として第３のファイル７０４にコピーしている。ＪＰＥＧデータ「東京地方天気予報」７１３は、他の用途に利用したり、静止画アルバムとして保存したり、あるいは単独で編集、削除、加工、特殊再生などを行うことが可能である。
同様に、第２のファイル７０３又は第３のファイル７０４に記録された放送から動画を取り出してＭＰＥＧデータとして第３のファイルに記録し、お気に入りの歌手の歌声データのみ取り出してＤｏｌｂｙＡＣ−３データとして記録し、好きなキャラクタのみ取り出してアニメーションデータＭＮＧデータとして記録することができる。
上記説明では、例としてデータの一部を取り出すとしたが、データの全部でもよく、「コピー」ではなくて第２のファイルからデータを切り取る（もとのデータを削除する）「移動」でもいい。また、第２のファイル又は第３のファイルに放送を記録すると同時に、データの全部、または一部を第３のファイルに放送抽出データとして直接記録してもいい。
また、独立型データ放送７０９とオーディオ放送７１０とを第３のファイル７０４に記録し、ＭＰＥＧ映像データ７１１等の放送抽出データ〜７１６は第４のファイル（図示せず）に記録するようにしてもいい。
図８に、管理データを第１のファイルに記録し、タイムマップデータを他のファイルに記録し、通常の放送と番組連動型データ放送を第２のファイルに記録し、独立型データ放送と独立オーディオ放送を第３のファイルに記録し、第２または第３のファイルに記録されたデータ放送のうち一部をコピーして、データ種別と符号化フォーマットとの組み合わせに応じて分類された第４から第９のファイルに記録する例を示す。即ち、第２に又は第３のファイルから、同じ符号化フォーマットを持つ動画、同じ符号化フォーマットを持つ静止画、同じ符号化フォーマットを持つ音声、同じ符号化フォーマットを持つアニメーション、同じ符号化フォーマットを持つ文字データを、それぞれ第４以降の同じファイルにコピーする例を示す。
図８では、参照番号８０１が第１のファイル、参照番号８０２が他のファイル、参照番号８０３が第２のファイル、参照番号８０４が第３のファイル、参照番号８０５が第４のファイル、参照番号８０６が第５のファイル、参照番号８０７が第６のファイル、参照番号８０８が第７のファイル、参照番号８０９が第８のファイルを示す。
第１のファイル８０１には、管理データ８１１が含まれている。管理データ８１１に関しては、後ほど詳しく説明する。
他のファイル８０２には、タイムマップデータ８１２が含まれている。他のファイル８０２とタイムマップデータ８１２との関係は、図３と同様である。
第２のファイル８０３には、通常の放送８１３、番組連動型データ放送付通常放送８１４が含まれている。
第３のファイル８０４には、独立型データ放送８１５、独立オーディオ放送８１６が含まれている。
第４のファイル８０５はＭＰＥＧ映像ファイル、第５のファイル８０６はＭＰＥＧ音声ファイル、第６のファイル８０７はＪＰＥＧファイル、第７のファイル８０８はＰＮＧファイル、第８のファイル８０９はＭＮＧファイル、第９のファイル８１０はＢＭＬファイルである。なお、ファイル８０５〜８１０に関しては、その他の方式の映像、音声、データファイルが存在しても良い。
図８には、番組連動データ放送付通常放送６１３の一部をコピーして第４のファイル８０５等に記録する例が矢印で示されている。例えば、番組連動型データ放送付通常放送８１４が歌番組「○○歌合戦」であるならば、歌手を取り出した動画８１７、歌（音声）８１８、衣装を取り出した静止画８１９、歌手を示すキャラクタアニメーション８２０、歌手のプロフィールの文字データ８２１を取り出して、それぞれＭＰＥＧデータとして第４のファイル（ＭＰＥＧデータファイル）８０５、ＭＰＥＧ  ＡＡＣオーディオデータとして第５のファイル（ＭＰＥＧ  ＡＡＣオーディオデータファイル）８０６、ＪＰＥＧデータとして第６のファイル（ＪＰＥＧデータファイル）８０７、アニメーションデータとして第８のファイル（ＭＮＧデータファイル）８０９、文字データとして第９のファイル（ＢＭＬデータファイル）８１０にコピーしている。これらのデータファイル８０５〜８１０は、他の用途に利用したり、動画／静止画／音声／アニメーション／文字データアルバムとして保存したり、あるいは単独で編集、削除、加工、特殊再生などを行うことが可能である。
上記説明では、例としてデータの一部を取り出すとしたが、データの全部でもよく、「コピー」ではなくて第２のファイル又は第３のファイルからデータを切り取る（もとのデータを削除する）「移動」でもいい。また、放送を第２又は第３のファイルに記録すると同時に、データの全部、または一部を第４以降のファイルに直接記録してもいい。
図９に、管理データを第１のファイルに記録し、タイムマップデータを他のファイルに記録し、通常の放送とデータ放送を第２のファイルに共通に記録し、放送外関連情報を記録放送外関連情報として第３のファイルに記録する例を示す。放送外関連情報は、例えば、放送に関連するインターネット情報、番組付加情報、ディレクターズカット情報、ディレクターズコメント情報、Ｅコマース情報、チャット情報、予告情報等である。
ここで、放送外関連情報は、放送に関連する放送以外のデータを示し、インターネット情報以外に、電話情報、ＦＡＸ情報、他の記録媒体の情報などが考えられるが、その他の情報でもいい。
図９では、参照番号９０１が第１のファイル、参照番号９０２が他のファイル、参照番号９０３が第２のファイル、参照番号９０４が第３のファイルを示す。
第１のファイル９０１には、管理データ９０５が含まれている。管理データ９０５に関しては、後ほど詳しく説明する。
他のファイル９０２には、タイムマップデータ９０６が含まれている。他のファイル９０２とタイムマップデータ９０６との関係は、図３と同様である。
第２のファイル９０３には、通常の放送９０７、番組連動型データ放送付通常放送９０８、独立型データ放送９０９、独立オーディオ放送９１０が含まれている。
第３のファイル９０４は、放送に関連するインターネット情報９１１、番組付加情報９１２、ディレクターズカット情報９１３、ディレクターズコメント情報９１４、Ｅコマース情報９１５、チャット情報９１６、予告情報９１７から構成される。なお、第３のファイル９０４には、その他のインターネットに関連する情報が存在してもいい。
図９では、第２のファイルに独立データ放送９０９とオーディオ放送９１０とが含まれているが、別ファイルとしてもよい。即ち、第２のファイルに通常の放送と番組連動型データ放送が含まれ、第３のファイルに独立型データ放送、独立オーディオ放送が含まれ、第４のファイルに、放送に関連するインターネット情報、番組付加情報、ディレクターズカット情報、ディレクターズコメント情報、Ｅコマース情報、チャット情報、予告情報が含まれてもいい。あるいは、第２のファイルに通常の放送と番組連動型データ放送が含まれ、第３のファイルに、独立型データ放送、独立オーディオ放送と、放送に関連するインターネット情報、番組付加情報、ディレクターズカット情報、ディレクターズコメント情報、Ｅコマース情報、チャット情報、予告情報が含まれてもいい。
図１０に、管理データを第１のファイルに記録し、タイムマップデータを他のファイルに記録し、通常の放送とデータ放送を同じ第２のファイルに記録し、放送に関連するインターネット情報、番組付加情報、ディレクターズカット情報、ディレクターズコメント情報、Ｅコマース情報、チャット情報、予告情報を第３のファイルに記録した後、第２のファイルの一部、および／または第３のファイルの一部を第３のファイルにコピーする例を示す。
図１０では、参照番号１００１が第１のファイル、参照番号１００２が他のファイル、参照番号１００３が第２のファイル、参照番号１００４が第３のファイルである。
第１のファイル１００１には、管理データ１００５が含まれている。管理データ１００５に関しては、後ほど詳しく説明する。
他のファイル１００２には、タイムマップデータ１００６が含まれている。他のファイル１００２とタイムマップデータ１００６との関係は、図３と同様である。
第２のファイル１００３には、通常の放送１００７、番組連動型データ放送付通常放送１００８、独立型データ放送１００９、独立オーディオ放送１０１０が含まれている。
第３のファイル１００４は、ＭＰＥＧ映像データ１０１１、ＭＰＥＧ音声データ１０１２、ＪＰＥＧデータ１０１３、ＰＮＧデータ１０１４、ＭＮＧデータ１０１５、ＢＭＬデータ１０１６、および、放送に関連するインターネット情報１０１７、番組付加情報１０１８、ディレクターズカット情報１０１９、ディレクターズコメント情報１０２０、Ｅコマース情報１０２１、チャット情報１０２２、予告情報１０２３から構成される。なお、第３のファイル１００４には、その他の方式の映像データ、音声データ、文字データが存在してもいい。またその他のインターネットに関連する情報が存在してもいい。
図１０には、番組連動型データ放送付通常放送１００８の一部をコピーして第３のファイルに放送抽出データとして記録し、また、放送に関するインターネット情報１０２６及び番組付加情報１０２７の一部をコピーして関連抽出データとする例を矢印で示している。例えば、番組連動型データ放送付通常放送１００８が映画「△△ウォーズ」であるなら、その戦闘シーンに関する動画情報１０２４及び武器の静止画１０２５を取り出し、それぞれ第３のファイル１００４にＭＰＥＧデータ１０１１及びＪＰＥＧデータ１０１３の一部としてコピーすることができる。また、放送に関連するインターネット情報１０１７及び番組付加情報１０１８が、それぞれ上記映画に関する情報であるならば、戦闘シーンＢＭＬ情報１０２６及び武器関連静止画付加情報１０２７を取り出して、ＢＭＬデータ１０１６及びＪＰＥＧデータ１０１３の一部として、それぞれコピーすることができる。こうして抽出されたＭＰＥＧ映像データ１０１１、ＪＰＥＧデータ１０１３、及びＢＭＬデータ１０１６は、それぞれ他の用途に利用したり、動画／静止画／情報アルバムとして保存したり、あるいは単独で編集、削除、加工、特殊再生などを行うことが可能である。
上記説明では、例としてデータの一部を取り出すとしたが、データの全部でもよく、「コピー」ではなくて第２又は第３のファイルからデータを切り取る（もとのデータを削除する）「移動」でもいい。また、第２のファイル１００３への放送の記録または第３のファイル１００４へのインターネット配信の記録と同時に、データの全部、または一部を放送抽出データ／関連抽出データとして第３のファイル１００４に直接記録してもいい。
また、上記説明では、抽出データ１０１１〜１０１６と放送外関連情報１０１７〜１０２３を第３のファイル１００４に共通に記録したが、抽出データ１０１１〜１０１６を第３のファイルに、放送外関連情報１０１７〜１０２３を第４のファイルに記録してもいい。
さらに、それぞれの場合において、抽出データ１０１１〜１０１６をすべて独立のファイルとしてもいい。
図１１に、管理データを第１のファイルに記録し、タイムマップデータを他のファイルに記録し、通常の放送と連動型データ放送を第２のファイルに記録し、独立型データ放送と独立オーディオ放送、および放送に関連するインターネット情報、番組付加情報、ディレクターズカット情報、ディレクターズコメント情報、Ｅコマース情報、チャット情報、予告情報を第３のファイルに記録した後、第２のファイルの一部、および／または第３のファイルの一部を第３のファイルにコピーする例を示す。
図１１では、参照番号１１０１が第１のファイル、参照番号１１０２が他のファイル、参照番号１１０３が第２のファイル、参照番号１１０４が第３のファイルを示す。
第１のファイル１１０１には、管理データ１１０５が含まれている。管理データ１１０５に関しては、後ほど詳しく説明する。
他のファイル１１０２には、タイムマップデータ１１０６が含まれている。他のファイル１１０２とタイムマップデータ１１０６との関係は、図３と同様である。
第２のファイル１１０３には、通常の放送１１０７、番組連動型データ放送１１０８が含まれている。
第３のファイル１００４は、独立型データ放送１１０９、独立オーディオ放送１１１０、ＭＰＥＧ映像データ１１１１、ＭＰＥＧ音声データ１１１２、ＪＰＥＧデータ１１１３、ＰＮＧデータ１１１４、ＭＮＧデータ１１１５、ＢＭＬデータ１１１６、および、放送に関連するインターネット情報１１１７、番組付加情報１１１８、ディレクターズカット情報１１１９、ディレクターズコメント情報１１２０、Ｅコマース情報１１２１、チャット情報１１２２、予告情報１１２３から構成される。なお、第３のファイル１１０４には、その他の方式の映像データ、音声データ、文字データが存在してもいい。またその他のインターネットに関連する情報が存在してもいい。
図１１には、番組連動型データ放送付通常放送１１０８の一部をコピーして第３のファイルに放送抽出データとして記録し、また、放送に関するインターネット情報１１１７及び番組付加情報１１１８の一部をコピーして関連抽出データとする例を矢印で示している。例えば、番組連動型データ放送付通常放送１１０８が映画「△△ウォーズ」であるなら、その戦闘シーンに関する動画情報１１２４及び武器の静止画１１２５を取り出し、それぞれ第３のファイル１１０４にＭＰＥＧデータ１１１１及びＪＰＥＧデータ１１１３の一部としてコピーすることができる。また、第３のファイル１１０４に記録された放送に関連するインターネット情報１１２６及び番組付加情報１１１８が、上記映画に関するものであるなら、戦闘シーンＢＭＬ情報１１２６及び武器関連静止画付加情報１１２７を取り出して、ＭＰＥＧデータ１１１１及びＪＰＥＧデータ１１１３の一部として、それぞれコピーすることができる。ＭＰＥＧ映像データ１１１１、ＪＰＥＧデータ１１１３、及びＢＭＬデータ１１１６は、それぞれ他の用途に利用したり、動画／静止画／情報アルバムとして保存したり、あるいは単独で編集、削除、加工、特殊再生などを行うことが可能である。
上記説明では、例としてデータの一部を取り出すとしたが、データの全部でもよく、「コピー」ではなくて第２又は第３のファイルからデータを切り取る（もとのデータを削除する）「移動」でもいい。また、第２のファイル１１０３への放送の記録または第３のファイル１１０４へのインターネット配信の記録と同時に、データの全部、または一部を放送／関連抽出データとして第３のファイル１１０４に直接記録してもいい。
また、上記説明ではデータ放送１１０９、１１１０、抽出データ１１１１〜１１１６及び放送外関連情報１１１７〜１１２３を第３のファイル１１０４に記録したが、データ放送１１０９、１１１０を第３のファイルに、抽出データ１１１１〜１１１６及び放送外関連情報１１１７〜１１２３を第４のファイルに記録してもいい。
または、データ放送１１０９、１１１０及び抽出データ１１１１〜１１１６を第３のファイルに、放送外関連情報１１１７〜１１２３を第４のファイルに記録してもいい。
または、抽出データ１１１１〜１１１６を第３のファイルに、データ放送１１０９、１１１０と、放送外関連情報１１１７〜１１２３とを第４のファイルに記録してもいい。
または、データ放送１１０９、１１１０を第３のファイルに、抽出データ１１１１〜１１１６を第４のファイルに、放送外関連情報１１１７〜１１２３を第５のファイルにそれぞれ記録してもいい。
さらに、それぞれの場合において、抽出データ１１１１〜１１１６をすべて独立のファイルとしてもいい。
以上いくつかの例を述べてきたが、前記ＭＰＥＧ映像データ５１１，６０４，７１１，８０５，１０１１及び１１１１には、映像データと音声データが両方含まれていてもいい。
上記いずれの例においても、基本的には、第２のファイルに記録するストリームはＴＳであり、第３以降のファイルに記録するストリームはＴＳでないが、これに限られるものではない。
次に、管理ファイル（図３における３０４、図４における４０４、図５における５０５、図６における６１０、図７における７０５、図８における８１１、図９における９０５、図１０における１００５、図１１における１１０５）に関して詳細を述べる。
管理ファイルには、データ放送記録ファイル識別フラグ、データ放送識別フラグ、放送外関連情報記録ファイル識別フラグ、及び放送外関連情報識別フラグが管理データとして記録されて良い。
データ放送記録ファイル識別フラグは、相当するファイルにデータ放送が記録されているか否か、またはデータ放送が記録されているファイルのファイル名またはファイルナンバーを示す。
放送外関連情報記録ファイル識別フラグは、相当するファイルに放送外関連情報が記録されているか否か、または放送外関連情報が記録されているファイルのファイル名またはファイルナンバーを示す。
データ放送識別フラグは、相当するストリームにデータ放送が記録されているか否かを示す。データ放送識別フラグは、また、放送抽出データが直接記録かコピーか移動かの別を示す。さらに、データ放送識別フラグは、放送抽出データがコピーまたは移動の場合に、そのソースが存在するかどうかと、存在するときソースが存在するファイル名、ソースストリーム名、ソースストリームナンバー、放送抽出データの種別及び圧縮方式を示す。ここで、種別とは、動画／音声／静止画／アニメーション／文字データの別をいう。また、圧縮方式とは、動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式をいう。
放送外関連情報識別フラグは、相当するストリームに放送関連情報が記録されているか否かを示す。また、放送外関連情報識別フラグは、関連抽出データが、直接記録かコピーか移動かの別を示す。さらに、放送外関連情報識別フラグは、関連抽出データがコピーまたは移動の場合に、そのソースが存在するかどうかと、存在するときソースの存在するファイル名、ソースストリーム名、ソースストリームナンバー、関連抽出データの種別及び圧縮方式を示す。ここで、種別とは、動画／音声／静止画／アニメーション／文字データの別をいう。また、圧縮方式は、動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式をいう。
また、管理ファイルには、記録ストリームにデータ放送が含まれないか／主放送と連動したデータ放送が含まれるか／主放送と連動しない独立データ放送が含まれるか／主放送と連動しない独立オーディオ放送が含まれるか／インターネット情報またはストリーミングデータが含まれるかを示すフラグが記録されてもよい。さらに、管理ファイルには、通常放送ストリームか蓄積型放送ストリームかを示すフラグが記録されてよい。さらにまた、管理ファイルには、動画データ圧縮方式、音声データ圧縮方式、静止画データ圧縮方式、及びアニメーションデータ圧縮方式をそれぞれ示すフラグが記録されてよい。また、管理ファイルには、データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグが含まれてよい。さらに、管理ファイルには、ニュース・天気予報・株式情報などを記録したデータをより新しいデータに自動的に書き換える自動更新を行うか否か（ＯＮ／ＯＦＦ）を示すフラグ、及びその最新データ更新時刻を示す情報が含まれてよい。また、管理ファイルには、タイムマップが存在するかしないかを示すフラグが記録されてもいい。
前記動画データ圧縮方式としては、例えば、ＭＰＥＧビデオ、Ｈ．２６４ビデオ、及びＷｉｎｄｏｗｓ（登録商標）Ｍｅｄｉａビデオがある。また、音声データ圧縮方式としては、例えば、ＭＰＥＧオーディオ、Ｄｏｌｂｙオーディオ及びＤＴＳオーディオがある。また、静止画データ圧縮方式としては、例えば、ＪＰＥＧ及びＰＮＧがある。
管理ファイルのデータは、そのすべてが記録されなくてもよく、一部が記録されるだけでもいい。
ＨＤＤ１１３又はＤＶＤ１１４に記録されるファイル構成の具体的な例を図１２Ａ〜図１２Ｄに示す。ここでは、全体のファイル名をＤＶＤ＿ＨＤＶＲとした。
ＤＶＤ＿ＨＤＶＲは、ＨＲ＿ＭＡＮＧＲ．ＩＦＯファイル、ＨＲ＿ＳＴＭＡＰ．ＩＦＯファイル、ＨＲ＿ＳＴＲＭｘ．ＳＲＯファイル、ＨＲ＿ＥＸＴＢＣ．ＤＡＴファイルなどのファイルから構成される。これらのファイルはすべてが存在しなくてもよく、また、ＨＲ＿ＭＡＮＧＲ．ＢＵＰというバックアップファイルを初めとする他のファイルが存在してもいい。
管理データ（図３における３０４、図４における４０５、図５における５０５、図６における６１０、図７における７０５、図８における８１１、図９における９０５、図１０における１００５、図１１における１１０５）は、ＨＲ＿ＭＡＮＧＲ．ＩＦＯファイルに記録される。
ＨＲ＿ＭＡＮＧＲ．ＩＦＯは、Ｓｔｒｅａｍ  Ｆｉｌｅ  Ｉｎｆｏｒｍａｔｉｏｎ  Ｔａｂｌｅ（ＳＴＭ＿ＡＶＦＩＴ）、ＥＸｔｒａ  Ｂｒｏａｄｃａｓｔ  Ｆｉｌｅ  Ｉｎｆｏｒｍａｔｉｏｎ  Ｔａｂｌｅ（ＥＸＴ＿ＡＶＦＩＴ）、その他のデータから構成される。
Ｓｔｒｅａｍ  Ｆｉｌｅ  Ｉｎｆｏｒｍａｔｉｏｎ  Ｔａｂｌｅ（ＳＴＭ＿ＡＶＦＩＴ）は、ＳＴＭ＿ＡＶＦＩＴ  Ｉｎｆｏｒｍａｔｉｏｎ、ＳＯＢ  Ｓｔｒｅａｍ  Ｉｎｆｏｒｍａｔｉｏｎ  ＃１〜ＳＯＢ  Ｓｔｒｅａｍ  Ｉｎｆｏｒｍａｔｉｏｎ  ＃ｎ、その他のデータから構成される。ＳＯＢ  Ｓｔｒｅａｍ  Ｉｎｆｏｒｍａｔｉｏｎは、放送の記録や放送／関連抽出データの記録が一回行われるごとに１個ずつ発生する。
ＳＴＭ＿ＡＶＦＩＴ  Ｉｎｆｏｒｍａｔｉｏｎには、以下のフラグ、データが含まれる。
・Ｄａｔａ  ｂｒｏａｄｃａｓｔ  ｒｅｃｏｒｄｉｎｇ  ｆｉｌｅ  ＩＤ  ｆｌａｇ：データ放送記録ファイル識別フラグ
３ビット以上のフラグデータである。
第０ビット  ０：ＨＲ＿ＳＴＲＭｘ．ＳＲＯにデータ放送が含まれない  １：含まれる
第１ビット  ０：ＨＲ＿ＳＴＲＭｘ．ＳＲＯに主放送と連動したデータ放送が含まれない  １：含まれる
第２ビット  ０：ＨＲ＿ＳＴＲＭｘ．ＳＲＯに独立データ放送が含まれない  １：含まれる
第３ビット  ０：ＨＲ＿ＳＴＲＭｘ．ＳＲＯに独立オーディオ（ラジオ）放送が含まれない  １：含まれる
を示し、その他のビットを保留とする。
・Ｂｒｏａｄｃａｓｔ  ｒｅｌａｔｅｄ  ｄａｔａ  ｒｅｃｏｒｄｉｎｇ  ｆｉｌｅ  ＩＤ  ｆｌａｇ：放送外関連情報記録ファイル識別フラグ
１ビット以上のフラグデータである。
第０ビット  ０：ＨＲ＿ＳＴＲＭｘ．ＳＲＯに放送外関連情報が含まれない  １：含まれるを示し、その他のビットを保留とする。
ＳＯＢ  Ｓｔｒｅａｍ  Ｉｎｆｏｒｍａｔｉｏｎは、ＳＴＭ＿ＡＴＲ（Ｓｔｒｅａｍ  Ａｔｔｒｉｂｕｔｅ）、その他のデータから構成される。
ＳＴＭ＿ＡＴＲには、以下のフラグ、データが含まれる。
・Ｄａｔａ  ｂｒｏａｄｃａｓｔ  ＩＤ  ｆｌａｇ：データ放送識別フラグ
３ビット以上のフラグデータである。
第０ビット  ０：ＳＯＢにデータ放送が含まれない  １：含まれる
第１ビット  ０：ＳＯＢに主放送と連動したデータ放送が含まれない  １：含まれる
第２ビット  ０：ＳＯＢに独立データ放送が含まれない  １：含まれる
第３ビット  ０：ＳＯＢに独立オーディオ（ラジオ）放送が含まれない  １：含まれる
を示し、その他のビットを保留とする。
・Ｂｒｏａｄｃａｓｔ  ｒｅｌａｔｅｄ  ｄａｔａ  ＩＤ  ｆｌａｇ：放送外関連情報識別フラグ
１ビット以上のフラグデータである。
第０ビット  ０：ＳＯＢに放送外関連情報が含まれない  １：含まれる
を示し、その他のビットを保留とする。
・Ｂｒｏａｄｃａｓｔ  ｒｅｌａｔｅｄ  ｄａｔａ  ｃｏｎｔｅｎｔ：放送外関連情報コンテンツ
００のとき、放送外関連情報がインターネットデータ（ストリーミング）
０１〜１１のとき、保留
・Ｂｒｏａｄｃａｓｔ  ｖｉｄｅｏ  ｍｏｄｅ：放送されているビデオデータの圧縮方式
０００のとき、ＭＰＥＧ−２    ００１のとき、ＭＰＥＧ−１    ０１０のとき、ＭＰＥＧ−４    ０１１のとき、Ｈ．２６４
１００のとき、ＷＭ９    １０１〜１１１のとき、保留
・Ｂｒｏａｄｃａｓｔ  ａｕｄｉｏ  ｍｏｄｅ：放送されているオーディオデータの圧縮方式
０００のとき、ＭＰＥＧ−２  ＡＡＣ    ００１のとき、Ｄｏｌｂｙ  ＡＣ−３    ０１０のとき、ＭＰＥＧ−１
０１１のとき、ＭＰＥＧ−２  ＢＣ    １００のとき、ＤＴＳ    １０１のとき、ＬＰＣＭ    １１０〜１１１のとき、保留
・Ｂｒｏａｄｃａｓｔ  ｓｔｉｌｌ−ｐｉｃｔｕｒｅ  ｍｏｄｅ：放送されている静止画データの圧縮方式
０００のとき、ＪＰＥＧ    ００１のとき、ＰＮＧ    ０１０〜１１１のとき、保留
・Ｂｒｏａｄｃａｓｔ  ａｎｉｍａｔｉｏｎ  ｍｏｄｅ：放送されているアニメーションデータの圧縮方式
０００のとき、ＭＮＧ    ００１〜１１１のとき、保留
・Ｄａｔａ  ｂｒｏａｄｃａｓｔ  ｍｏｄｅ：放送されているデータ放送方式
０００のとき、ＢＭＬ    ００１〜１１１のとき、保留
・Ｄａｔａ  ｔｒａｎｓｍｉｓｓｉｏｎ  ｍｏｄｅ：データ伝送モード
００のとき、データカルーセルモード    ０１のとき、イベントメッセージ伝送モード
１０のとき、両者を含む伝送モード    １１のとき、保留
・Ｄａｔａ  Ｃａｒｒｏｕｓｅｌ  Ａｕｔｏ  ｒｅｎｅｗａｌ：データカルーセル自動更新モード
００のとき、放送Ｄａｔａ  Ｃａｒｒｏｕｓｅｌ全データ記録モード
０１のとき、放送Ｄａｔａ  Ｃａｒｒｏｕｓｅｌ中更新データのみ選択記録モード
１０〜１１のとき、保留
・Ｒｅｆｒｅｓｈ  ｆｌａｇ：最新データ更新フラグ
００のとき、ニュース、天気予報、株式情報などで、新しいデータによる古いデータ自動更新ＯＦＦ
０１のとき、ニュース、天気予報、株式情報などで、新しいデータによる古いデータ自動更新ＯＮ
１０〜１１のとき、保留
・Ｒｅｆｒｅｓｈ  ｔｉｍｅ：最新データ更新時刻（５バイト）
年（１４ビット）、月（４ビット）、日（５ビット）、時（５ビット）、分（６ビット）、秒（６ビット）
・Ｔｉｍｅ  ｍａｐ  ｆｌａｇ：タイムマップ有無
００のとき、タイムマップを持たない    ０１のとき、タイムマップを持つ
１０〜１１のとき、保留
・Ｓｔｏｒａｇｅ  ｂｒｏａｄｃａｓｔ  ｆｌａｇ：蓄積型放送ストリーム表示
００のとき、このＳＯＢは通常放送ストリームである
０１のとき、このＳＯＢは蓄積型放送ストリームである
１０〜１１のとき、保留
Ｅｘｔｒａ  Ｂｒｏａｄｃａｓｔ  Ｆｉｌｅ  Ｉｎｆｏｒｍａｔｉｏｎ  Ｔａｂｌｅ（ＥＸＴ＿ＡＶＦＩＴ）は、ＥＸＴ＿ＡＶＦＩＴ  Ｉｎｆｏｒｍａｔｉｏｎ、ＥＸＴ  Ｓｔｒｅａｍ  Ｉｎｆｏｒｍａｔｉｏｎ  ＃１〜ＥＸＴ  Ｓｔｒｅａｍ  Ｉｎｆｏｒｍａｔｉｏｎ  ＃ｎ、その他のデータから構成される。
ＥＸＴ＿ＡＶＦＩＴ  Ｉｎｆｏｒｍａｔｉｏｎには、以下のフラグ、データが含まれる。
・Ｄａｔａ  ｂｒｏａｄｃａｓｔ  ｒｅｃｏｒｄｉｎｇ  ｆｉｌｅ  ＩＤ  ｆｌａｇ：データ放送記録ファイル識別フラグ
３ビット以上のフラグデータである。
第０ビット  ０：ＨＲ＿ＥＸＴＢＣ．ＤＡＴにデータ放送が含まれない  １：含まれる
第１ビット  ０：ＨＲ＿ＥＸＴＢＣ．ＤＡＴに主放送と連動したデータ放送が含まれない  １：含まれる
第２ビット  ０：ＨＲ＿ＥＸＴＢＣ．ＤＡＴに独立データ放送が含まれない  １：含まれる
第３ビット  ０：ＨＲ＿ＥＸＴＢＣ．ＤＡＴに独立オーディオ（ラジオ）放送が含まれない  １：含まれる
を示し、その他のビットを保留とする。
・Ｂｒｏａｄｃａｓｔ  ｒｅｌａｔｅｄ  ｄａｔａ  ｒｅｃｏｒｄｉｎｇ  ｆｉｌｅ  ＩＤ  ｆｌａｇ：放送外関連情報記録ファイル識別フラグ
１ビット以上のフラグデータである。
第０ビット  ０：ＨＲ＿ＥＸＴＢＣ．ＤＡＴに放送外関連情報が含まれない  １：含まれる
を示し、その他のビットを保留とする。
Ｅｘｔｒａ  Ｓｔｒｅａｍ  Ｉｎｆｏｒｍａｔｉｏｎは、ＥＸＴ＿ＡＴＲ（Ｅｘｔｒａ  Ｓｔｒｅａｍ  Ａｔｔｒｉｂｕｔｅ）、その他のデータから構成される。
ＥＸＴ＿ＡＴＲには、以下のフラグ、データが含まれる。
・Ｄａｔａ  ｂｒｏａｄｃａｓｔ  ＩＤ  ｆｌａｇ：データ放送識別フラグ
３ビット以上のフラグデータである。
第０ビット  ０：Ｅｘｔｒａ  Ｓｔｒｅａｍにデータ放送が含まれない  １：含まれる
第１ビット  ０：Ｅｘｔｒａ  Ｓｔｒｅａｍに主放送と連動したデータ放送が含まれない  １：含まれる
第２ビット  ０：Ｅｘｔｒａ  Ｓｔｒｅａｍに独立データ放送が含まれない  １：含まれる
第３ビット  ０：Ｅｘｔｒａ  Ｓｔｒｅａｍに独立オーディオ（ラジオ）放送が含まれない  １：含まれる
を示し、その他のビットを保留とする。
・Ｂｒｏａｄｃａｓｔ  ｒｅｌａｔｅｄ  ｄａｔａ  ＩＤ  ｆｌａｇ：放送外関連情報識別フラグ
１ビット以上のフラグデータである。
第０ビット  ０：Ｅｘｔｒａ  Ｓｔｒｅａｍに放送外関連情報が含まれない  １：含まれる
を示し、その他のビットを保留とする。
・Ｂｒｏａｄｃａｓｔ  ｒｅｌａｔｅｄ  ｄａｔａ  ｃｏｎｔｅｎｔ：放送外関連情報コンテンツ
００のとき、放送外関連情報がインターネットデータ（ストリーミング）
０１〜１１のとき、保留
・Ｃｏｐｙ  ｍｏｖｅ  ｉｎｆｏｒｍａｔｉｏｎ：コピー情報
＊Ｃｏｐｙ  ｍｏｖｅ  ｆｌａｇ：コピーまたは移動
０００のとき、オリジナル    ００１のとき、コピー    ０１０のとき、移動    ０１１〜１１１のとき、保留
＊Ｓｏｕｒｃｅ  ｆｉｌｅ  ｉｎｆｏｒｍａｔｉｏｎ：ソースファイル情報
００のとき、ソースが存在しない
０１のとき、ソースがＨＲ＿ＳＴＲＭｘ．ＳＲＯに存在    １０のとき、ソースがＨＲ＿ＥＸＴＢＣ．ＤＡＴに存在
１１のとき、保留
＊Ｓｏｕｒｃｅ  ｓｔｒｅａｍ  ｎａｍｅ：ソースストリーム名
＊Ｓｏｕｒｃｅ  ｓｔｒｅａｍ  ｎｕｍｂｅｒ：ソースストリームナンバー
・Ｂｒｏａｄｃａｓｔ  ｖｉｄｅｏ  ｍｏｄｅ：放送されているビデオデータの圧縮方式
０００のとき、ＭＰＥＧ−２    ００１のとき、ＭＰＥＧ−１    ０１０のとき、ＭＰＥＧ−４    ０１１のとき、Ｈ．２６４
１００のとき、ＷＭ９    １０１〜１１１のとき、保留
・Ｂｒｏａｄｃａｓｔ  ａｕｄｉｏ  ｍｏｄｅ：放送されているオーディオデータの圧縮方式
０００のとき、ＭＰＥＧ−２  ＡＡＣ    ００１のとき、Ｄｏｌｂｙ  ＡＣ−３    ０１０のとき、ＭＰＥＧ−１
０１１のとき、ＭＰＥＧ−２  ＢＣ    １００のとき、ＤＴＳ    １０１のとき、ＬＰＣＭ    １１０〜１１１のとき、保留
・Ｂｒｏａｄｃａｓｔ  ｓｔｉｌｌ−ｐｉｃｔｕｒｅ  ｍｏｄｅ：放送されている静止画データの圧縮方式
０００のとき、ＪＰＥＧ    ００１のとき、ＰＮＧ    ０１０〜１１１のとき、保留
・Ｂｒｏａｄｃａｓｔ  ａｎｉｍａｔｉｏｎ  ｍｏｄｅ：放送されているアニメーションデータの圧縮方式
０００のとき、ＭＮＧ    ００１〜１１１のとき、保留
・Ｄａｔａ  ｂｒｏａｄｃａｓｔ  ｍｏｄｅ：放送されているデータ放送方式
０００のとき、ＢＭＬ    ００１〜１１１のとき、保留
・Ｄａｔａ  ｔｒａｎｓｍｉｓｓｉｏｎ  ｍｏｄｅ：データ伝送モード
００のとき、データカルーセルモード    ０１のとき、イベントメッセージ伝送モード
１０のとき、両者を含む伝送モード    １１のとき、保留
・Ｄａｔａ  Ｃａｒｒｏｕｓｅｌ  Ａｕｔｏ  ｒｅｎｅｗａｌ：データカルーセル自動更新モード
００のとき、放送Ｄａｔａ  Ｃａｒｒｏｕｓｅｌ全データ記録モード
０１のとき、放送Ｄａｔａ  Ｃａｒｒｏｕｓｅｌ中更新データのみ選択記録モード
１０〜１１のとき、保留
・Ｒｅｆｒｅｓｈ  ｆｌａｇ：最新データ更新フラグ
００のとき、ニュース、天気予報、株式情報などで、新しいデータによる古いデータ自動更新ＯＦＦ
０１のとき、ニュース、天気予報、株式情報などで、新しいデータによる古いデータ自動更新ＯＮ
１０〜１１のとき、保留
・Ｒｅｆｒｅｓｈ  ｔｉｍｅ：最新データ更新時刻（５バイト）
年（１４ビット）、月（４ビット）、日（５ビット）、時（５ビット）、分（６ビット）、秒（６ビット）
・Ｔｉｍｅ  ｍａｐ  ｆｌａｇ：タイムマップ有無
００のとき、タイムマップを持たない    ０１のとき、タイムマップを持つ
１０〜１１のとき、保留
・Ｓｔｏｒａｇｅ  ｂｒｏａｄｃａｓｔ  ｆｌａｇ：蓄積型放送ストリーム表示
００のとき、このＳＯＢは通常放送ストリームである
０１のとき、このＳＯＢは蓄積型放送ストリームである
１０〜１１のとき、保留
ＨＲ＿ＳＴＭＡＰ．ＩＦＯは、タイムマップテーブルであり、
・１ＳＴＲＥＦ＿ＳＺ：ＳＯＢＵ第１リファレンスピクチャーサイズ
・ＤＡＴＡＢＣ＿ＰＢ＿ＴＭ：ＳＯＢＵ再生時間（ビデオフィールド数）
・ＤＡＴＡＢＣ＿ＳＺ：ＳＯＢＵサイズ（セクター数）
から構成される。
ＨＲ＿ＳＴＲＭｘ．ＳＲＯは、ストリームデータファイルであり、
通常放送、番組連動型データ放送、独立型データ放送、独立オーディオ放送ストリーム
から構成される。
ＨＲ＿ＥＸＴＢＣ．ＤＡＴは、データ放送直接記録、または一部をコピーまたは移動したデータファイル、またはその他のストリーム
から構成される。
さて、管理データにより、以下のようにデータ放送記録とコピーが行われる。
ユーザーは、データ放送記録・再生装置に対し、独立データ放送記録とコピーするソースファイル、ストリーム、コピー開始時刻、終了時刻を入力指定する。これは、通常リモコンなどにより、特定のデータ放送コンテンツの開始点、及び終了点を指定することにより行われる。
この入力指定は、図１における制御信号１０３として、データ放送記録・再生装置に与えられ、記録制御部１１６により、ソースファイル及びコピー先ファイルの決定、管理データの発生、コピー制御が行われる。
ソースファイルは、例えば、ＨＲ＿ＳＴＲＭｘ．ＳＲＯ、コピー先ファイルはＨＲ＿ＥＸＴＢＣ．ＤＡＴが指定される。
そして、指定されたソースファイル、ストリームが、コピー開始時刻、終了時刻に従って、指定されたコピー先ファイルにコピーされる。
管理データは、ＨＲ＿ＭＡＮＧＲ．ＩＦＯに記録される。例えば、管理データ中のＳｔｒｅａｍ  Ｆｉｌｅ  Ｉｎｆｏｒｍａｔｉｏｎ  Ｔａｂｌｅ（ＳＴＭ＿ＡＶＦＩＴ）のＳＴＭ＿ＡＶＦＩＴ  Ｉｎｆｏｒｍａｔｉｏｎにおいて、以下のような設定がなされる。
・Ｄａｔａ  ｂｒｏａｄｃａｓｔ  ｒｅｃｏｒｄｉｎｇ  ｆｉｌｅ  ＩＤ  ｆｌａｇ
第０ビット  ０：ＨＲ＿ＳＴＲＭｘ．ＳＲＯにデータ放送が含まれない
第１ビット  ０：ＨＲ＿ＳＴＲＭｘ．ＳＲＯに主放送と連動したデータ放送が含まれない
第２ビット  １：ＨＲ＿ＳＴＲＭｘ．ＳＲＯに独立データ放送が含まれる
第３ビット  ０：ＨＲ＿ＳＴＲＭｘ．ＳＲＯに独立オーディオ（ラジオ）放送が含まれない
・Ｂｒｏａｄｃａｓｔ  ｒｅｌａｔｅｄ  ｄａｔａ  ｒｅｃｏｒｄｉｎｇ  ｆｉｌｅ  ＩＤ  ｆｌａｇ
第０ビット  ０：ＨＲ＿ＳＴＲＭｘ．ＳＲＯに放送外関連情報が含まれない
また、ＳＴＭ＿ＡＶＦＩＴのＳＯＢ  Ｓｔｒｅａｍ  ＩｎｆｏｒｍａｔｉｏｎのＳＴＭ＿ＡＴＲ（Ｓｔｒｅａｍ  Ａｔｔｒｉｂｕｔｅ）において、以下の設定が成される。
・Ｄａｔａ  ｂｒｏａｄｃａｓｔ  ＩＤ  ｆｌａｇ
第０ビット  ０：ＳＯＢにデータ放送が含まれない
第１ビット  ０：ＳＯＢに主放送と連動したデータ放送が含まれない
第２ビット  １：ＳＯＢに独立データ放送が含まれる
第３ビット  ０：ＳＯＢに独立オーディオ（ラジオ）放送が含まれない
・Ｂｒｏａｄｃａｓｔ  ｒｅｌａｔｅｄ  ｄａｔａ  ＩＤ  ｆｌａｇ
第０ビット  ０：ＳＯＢに放送外関連情報が含まれない
・Ｂｒｏａｄｃａｓｔ  ｒｅｌａｔｅｄ  ｄａｔａ  ｃｏｎｔｅｎｔ：００    放送外関連情報がインターネットデータ（ストリーミング）
・Ｂｒｏａｄｃａｓｔ  ｖｉｄｅｏ  ｍｏｄｅ：    ０００    ＭＰＥＧ−２
・Ｂｒｏａｄｃａｓｔ  ａｕｄｉｏ  ｍｏｄｅ：    ０００    ＭＰＥＧ−２  ＡＡＣ
・Ｂｒｏａｄｃａｓｔ  ｓｔｉｌｌ−ｐｉｃｔｕｒｅ  ｍｏｄｅ：    ０００    ＪＰＥＧ
・Ｂｒｏａｄｃａｓｔ  ａｎｉｍａｔｉｏｎ  ｍｏｄｅ：    ０００    ＭＮＧ
・Ｄａｔａ  ｂｒｏａｄｃａｓｔ  ｍｏｄｅ：    ０００    ＢＭＬ
・Ｄａｔａ  ｔｒａｎｓｍｉｓｓｉｏｎ  ｍｏｄｅ：    ００    データカルーセルモード
・Ｄａｔａ  Ｃａｒｒｏｕｓｅｌ  Ａｕｔｏ  ｒｅｎｅｗａｌ：    ００    放送Ｄａｔａ  Ｃａｒｒｏｕｓｅｌ全データ記録モード
・Ｒｅｆｒｅｓｈ  ｆｌａｇ：    ００    自動更新ＯＦＦ
・Ｒｅｆｒｅｓｈ  ｔｉｍｅ：    最新データ更新時刻
・Ｔｉｍｅ  ｍａｐ  ｆｌａｇ：    ００    タイムマップを持たない
・Ｓｔｏｒａｇｅ  ｂｒｏａｄｃａｓｔ  ｆｌａｇ：    ００    通常放送ストリームである
また、Ｅｘｔｒａ  Ｂｒｏａｄｃａｓｔ  Ｆｉｌｅ  Ｉｎｆｏｒｍａｔｉｏｎ  Ｔａｂｌｅ（ＥＸＴ＿ＡＶＦＩＴ）のＥＸＴ＿ＡＶＦＩＴ  Ｉｎｆｏｒｍａｔｉｏｎにおいて、以下の設定が成される。
・Ｄａｔａ  ｂｒｏａｄｃａｓｔ  ｒｅｃｏｒｄｉｎｇ  ｆｉｌｅ  ＩＤ  ｆｌａｇ
第０ビット  ０：ＨＲ＿ＥＸＴＢＣ．ＤＡＴにデータ放送が含まれない
第１ビット  ０：ＨＲ＿ＥＸＴＢＣ．ＤＡＴに主放送と連動したデータ放送が含まれない
第２ビット  １：ＨＲ＿ＥＸＴＢＣ．ＤＡＴに独立データ放送が含まれる
第３ビット  ０：ＨＲ＿ＥＸＴＢＣ．ＤＡＴに独立オーディオ（ラジオ）放送が含まれない
・Ｂｒｏａｄｃａｓｔ  ｒｅｌａｔｅｄ  ｄａｔａ  ｒｅｃｏｒｄｉｎｇ  ｆｉｌｅ  ＩＤ  ｆｌａｇ
第０ビット  ０：ＨＲ＿ＥＸＴＢＣ．ＤＡＴに放送外関連情報が含まれない
また、ＥＸＴ＿ＡＶＦＩＴのＥｘｔｒａ  Ｓｔｒｅａｍ  ＩｎｆｏｒｍａｔｉｏｎのＥＸＴ＿ＡＴＲ（Ｅｘｔｒａ  Ｓｔｒｅａｍ  Ａｔｔｒｉｂｕｔｅ）において、以下の設定がなされる。
・Ｄａｔａ  ｂｒｏａｄｃａｓｔ  ＩＤ  ｆｌａｇ
第０ビット  ０：Ｅｘｔｒａ  Ｓｔｒｅａｍにデータ放送が含まれない
第１ビット  ０：Ｅｘｔｒａ  Ｓｔｒｅａｍに主放送と連動したデータ放送が含まれない
第２ビット  １：Ｅｘｔｒａ  Ｓｔｒｅａｍに独立データ放送が含まれる
第３ビット  ０：Ｅｘｔｒａ  Ｓｔｒｅａｍに独立オーディオ（ラジオ）放送が含まれない
・Ｂｒｏａｄｃａｓｔ  ｒｅｌａｔｅｄ  ｄａｔａ  ＩＤ  ｆｌａｇ：放送外関連情報識別フラグ
第０ビット  ０：Ｅｘｔｒａ  Ｓｔｒｅａｍに放送外関連情報が含まれない
・Ｂｒｏａｄｃａｓｔ  ｒｅｌａｔｅｄ  ｄａｔａ  ｃｏｎｔｅｎｔ：    ００    放送外関連情報がインターネットデータ（ストリーミング）
・Ｃｏｐｙ  ｍｏｖｅ  ｉｎｆｏｒｍａｔｉｏｎ：コピー情報
＊Ｃｏｐｙ  ｍｏｖｅ  ｆｌａｇ：    ００１    コピー
＊Ｓｏｕｒｃｅ  ｆｉｌｅ  ｉｎｆｏｒｍａｔｉｏｎ：    ０１    ソースがＨＲ＿ＳＴＲＭｘ．ＳＲＯに存在
＊Ｓｏｕｒｃｅ  ｓｔｒｅａｍ  ｎａｍｅ：    ソースストリーム名
＊Ｓｏｕｒｃｅ  ｓｔｒｅａｍ  ｎｕｍｂｅｒ：    ソースストリームナンバー
・Ｂｒｏａｄｃａｓｔ  ｖｉｄｅｏ  ｍｏｄｅ：    ０００    ＭＰＥＧ−２
・Ｂｒｏａｄｃａｓｔ  ａｕｄｉｏ  ｍｏｄｅ：    ０００    ＭＰＥＧ−２  ＡＡＣ
・Ｂｒｏａｄｃａｓｔ  ｓｔｉｌｌ−ｐｉｃｔｕｒｅ  ｍｏｄｅ：    ０００    ＪＰＥＧ
・Ｂｒｏａｄｃａｓｔ  ａｎｉｍａｔｉｏｎ  ｍｏｄｅ：    ０００    ＭＮＧ
・Ｄａｔａ  ｂｒｏａｄｃａｓｔ  ｍｏｄｅ：    ０００    ＢＭＬ
・Ｄａｔａ  ｔｒａｎｓｍｉｓｓｉｏｎ  ｍｏｄｅ：    ００    データカルーセルモード
・Ｄａｔａ  Ｃａｒｒｏｕｓｅｌ  Ａｕｔｏ  ｒｅｎｅｗａｌ：    ００    放送Ｄａｔａ  Ｃａｒｒｏｕｓｅｌ全データ記録モード
・Ｒｅｆｒｅｓｈ  ｆｌａｇ：    ００    自動更新ＯＦＦ
・Ｒｅｆｒｅｓｈ  ｔｉｍｅ：    最新データ更新時刻
・Ｔｉｍｅ  ｍａｐ  ｆｌａｇ：    ００    タイムマップを持たない
・Ｓｔｏｒａｇｅ  ｂｒｏａｄｃａｓｔ  ｆｌａｇ：    ００    通常放送ストリームである。
以上説明したように、本発明の実施例に係るデータ記録・再生装置によれば、通常の放送とデータ放送を第２のファイルに記録し、第２のファイルに記録されたデータ放送のうち全部または一部を第３のファイルにコピーまたは移動し、また放送に関連するインターネット情報を初めとする放送外関連情報およびその全部または一部を第３のファイルにコピーまたは移動することにより、データ放送を容易に記録可能であり、かつ記録されたデータ放送を、別ファイルにより本放送と切り離して保存、編集、削除、加工、特殊再生など行うことが容易に実現できる。
データ放送記録ファイル識別フラグと放送外関連情報記録ファイル識別フラグは別々に示してもよく、同時に示してもいい。また、データ放送識別フラグと放送外関連情報識別フラグを別々に示してもよく、同時に示してもいい。
前記に示した管理データは、データ構成、データ配置順、フラグ名、ビット数、ビット割り当ては例示したものと同じでなくてもいい。
前記に示した管理データは、例示した全データが存在しなくても、その一部だけが存在してもいい。
前記に示した管理データは、発生する単位が、もっと大きい単位でも、小さい単位でもいい。
また、これらの管理データが記録媒体に記録されたときの、開始アドレス、終了アドレス、データ長が、適宜記録されてもいい。
また、以上述べてきた記録方法でデータを記録するデータ記録装置、または以上述べてきた記録方法で記録されたデータを再生するデータ再生装置も、本発明に含まれるものとする。
また、以上述べてきた記録方法で記録が行われた記録媒体も、本発明に含まれることは言うまでもない。この場合、当該記録媒体はデータ放送を記録する領域と当該データ放送を管理する管理データとが別の領域に記録されれば良い。
【図１】
0004347298.tif 000002
【図２】
0004347298.tif 000003
【図３】
0004347298.tif 000004
【図４】
0004347298.tif 000005
【図５】
0004347298.tif 000006
【図６】
0004347298.tif 000007
【図７】
0004347298.tif 000008
【図８】
0004347298.tif 000009
【図９】
0004347298.tif 000010
【図１０】
0004347298.tif 000011
【図１１】
0004347298.tif 000012
0004347298.tif 000013
0004347298.tif 000014
0004347298.tif 000015
0004347298.tif 000016